(57)【要約】【課題】異物や外力から液晶表示パネルを効果的に保護する電子機器を提供する。【解決手段】液晶表示パネル６と、液晶表示パネル６を照明する照明ユニット１６と、透明な窓部で液晶表示パネル６の表示面６ａを保護する液晶保護窓部材７と、を有し、液晶保護窓部材７には、窓部の周囲に側壁部７ｃ１〜７ｃ３が形成され、側壁部７ｃ１〜７ｃ３が液晶表示パネル６および照明ユニット１６の面方向の位置決めを行う電子機器を提供する。【選択図】図６
2009294272.tif 000002
【特許請求の範囲】
【請求項１】
画像を表示する液晶表示パネルと、前記液晶表示パネルを照明する照明ユニットと、透明な窓部で前記液晶表示パネルの表示面を覆う窓部材とを有する電子機器であって、
前記窓部材には、前記窓部の周囲に側壁部が形成され、前記側壁部が前記液晶表示パネルおよび前記照明ユニットの面方向の位置を決めることを特徴とする電子機器。
【請求項２】
前記照明ユニットには位置決め用の係合部が形成され、前記側壁部には前記係合部が係合する被係合部が形成されていることを特徴とする請求項１に記載の電子機器。
【請求項３】
前記照明ユニットにはフレキシブル基板を有し、前記側壁部には前記フレキシブル基板を導出する開口部が形成されることを特徴とする請求項１または２に記載の電子機器。
【請求項４】
前記電子機器は前記電子機器の内部に設けられるフレーム部材を有し、前記フレーム部材と前記側壁部は係合可能であって、前記液晶表示パネルおよび前記照明ユニットは前記窓部材と前記フレーム部材で形成された空間に収納されていることを特徴とする請求項１から３のいずれか１つに記載の電子機器。
【請求項５】
前記電子機器は外装部材を有し、前記窓部材は前記外装部材に保持されていることを特徴とする請求項１から４のいずれか１つに記載の電子機器。
【発明の詳細な説明】
【技術分野】
【０００１】
本発明は、電子機器に関する。
【背景技術】
【０００２】
従来から、液晶表示パネル（以下、「ＬＣＤ」と称す）と、透明な窓部でＬＣＤを保護する液晶保護窓と、ＬＣＤを照明する液晶照明ユニットと、を有する電子機器は知られている。ＬＣＤと液晶保護窓とは密着するように設計されるが、製造誤差や反りなどにより、両者間に隙間が発生してＬＣＤや液晶照明ユニットに異物が侵入するおそれがある。また、液晶保護窓に加わる外力がＬＣＤの表面に伝達されてＬＣＤの動作不良や破損を招くおそれがある。
【０００３】
前者の問題を解決するために、特許文献１は、ＬＣＤ保持枠の隅角部近傍に基板に突き当てる脚を設け、付勢部材を脚に装着して液晶保護窓とＬＣＤを密着させている。また、後者の問題を解決するために、特許文献２は、ＬＣＤ保持枠にＬＣＤを収納し、ＬＣＤ保持枠の壁をＬＣＤの厚みより僅かに高くして外装カバーに当接させている。
【特許文献１】特開２００４−１２０３５０号公報
【特許文献２】特開２００６−２５１２４１号公報
【発明の開示】
【発明が解決しようとする課題】
【０００４】
しかし、特許文献１の方式は、コストの上昇や部品点数の増加、組み立て工数の増加を招く。また、特許文献２の方式においては、ＬＣＤ保持枠の剛性を維持するためにＬＣＤ保持枠が大型になり、ＬＣＤ保持枠を外装カバーに当接させても、液晶保護窓自体に外力が加わった場合には液晶保護窓自体の撓みが懸念される。
【０００５】
そこで、本発明は、異物や外力から液晶表示パネルを効果的に保護する電子機器を提供することを例示的な目的とする。
【課題を解決するための手段】
【０００６】
本発明の一側面としての電子機器は、画像を表示する液晶表示パネルと、前記液晶表示パネルを照明する照明ユニットと、透明な窓部で前記液晶表示パネルの表示面を覆う窓部材とを有する電子機器であって、前記窓部材には、前記窓部の周囲に側壁部が形成され、前記側壁部が前記液晶表示パネルおよび前記照明ユニットの面方向の位置を決めることを特徴とする。
【発明の効果】
【０００７】
本発明によれば、異物や外力から液晶表示パネルを効果的に保護する電子機器を提供することができる。
【発明を実施するための最良の形態】
【０００８】
以下、添付図面を参照して、本発明の電子機器の一例としての電子撮像装置（デジタルカメラ）について説明する。図１と図２はそれぞれ本実施例の電子撮像装置の正面側の斜視図と背面側の斜視図である。本実施例は、図２に示すように、Ｘ方向を電子撮像装置の横方向に設定し、Ｙ方向を電子撮像装置の高さ方向に設定し、Ｚ方向を電子撮像装置の厚さ方向に設定している。
【０００９】
図１及び図２において、１は、電子撮像装置本体であり、撮影を可能とする部材、例えば、光学像を光電変換して画像デ−タを生成するＣＣＤやＣＭＯＳイメ−ジセンサ等の撮像素子（不図示）等が回路基板に実装されている。また、電子撮像装置本体１には後述するＬＣＤ６と液晶保護窓部材７が搭載される。
【００１０】
被写体側（以下、前面）部には、被写体像を撮像素子に結像する沈動式の光学系撮影レンズ鏡筒３が固定されている。光学系撮影レンズ鏡筒３の近傍には、本体上方に撮影動作時に被写体像を観察し撮影範囲等を決定するファインダ光学系開口部４が配設されている。図１の右上には撮影時に光量が足りない時等に必要に応じて発光するストロボ発光窓５が設けられている。
【００１１】
図３は図２のＡＡ断面図であり、図４は図３の部分拡大断面図であり、撮像装置被写体側（以下、背面）の内部には、画像を表示する液晶表示パネル（ＬＣＤ）６が設けられており、撮像する被写体像の確認や、撮像された画像の再生表示に用いられる。ＬＣＤ６は、後述するように、画像を表示する表示面６ａを有する。図２において、電子撮像装置本体１の背面部に露出しているのは、ＬＣＤ６を傷、ごみ等の異物から保護する液晶保護窓部材７（窓部材）である。
【００１２】
８は、シャッターボタンであり、２段階の押圧操作が可能となっている。シャッタ−ボタン８を半押しすると撮影準備動作（測光動作や測距動作等）が開始され、全押しすると被写体が撮影され、後述する記録媒体に被写体像の画像デ−タが記録される。９は、電源となる主電池１０（使い切り式の一次電池の他に充電式の二次電池も含む）及び撮影された被写体像が記録される記録媒体１１を収納する収納室を開閉可能とする蓋部材である。蓋部材９を開くことによって、収納室開口部が開き状態となって主電池１０と記録媒体１１の挿脱が可能になる。
【００１３】
１２は、モード設定レバーであり、電子撮像装置本体１に対してスライド可能に支持されている。モード設定レバー１２の近傍には、各種の撮影モードに応じた複数のマーク（不図示）が印刷されており、このマークにモード設定レバー１２の指標を合わせることで、マークに応じた撮影モードの設定を行うことができる。
【００１４】
１３は、ストラップ取付けリングである。１４は、電源・信号の入出力用ジャック保護用のカバー部材であり、これを開状態とすると、電源・信号の入出力用ジャックへの各種ケーブル類の抜き差しが可能となる。１５は、撮像装置機能を指示する際に利用する複数の操作ボタンである。
【００１５】
また図示しないが、電子撮像装置は、主基板と補助基板、２枚の大型基板から構成されている。主基板には、カードＩ／Ｆ等を含む記録媒体スロットや撮像部、画像処理部、システム制御部、ＬＣＤ表示部、シリアルＩ／Ｆ、シリアル接続端子等が実装されている。また、補助基板には、電源供給切換回路、ＤＣ／ＤＣコンバータ、操作ＳＷ、ビデオＩ／Ｆ、ビデオ接続端子、外部電源入力端子等が実装されている。
【００１６】
図４に示すように、電子撮像装置本体１には、背面側の外装カバー２（外装部材）に、ＬＣＤ６の外形に対応した開口部２ａが設けられている。開口部２ａに外装カバー２と同一面、もしくは僅かに段差が生じる程度にＬＣＤ６を傷、ごみ等の異物から保護する液晶保護窓部材７が嵌め込まれている。
【００１７】
液晶保護窓部材７は、通常、耐擦り傷性、低反射、撥水性等を向上させるべく表面コート材が塗布されている。外装カバー２は、塗装、メッキ等の表面処理された樹脂あるいは金属等で形成されており、外装カバー２の材質によって液晶保護窓部材７の厚み（嵌め込み量）も異なる。液晶保護窓部材７は、透明材料で形成され、外部からＬＣＤ６を視認可能な透明な窓部を有する。
【００１８】
以下、液晶保護窓部材７の構造を従来の構造と対比しつつ説明する。
【００１９】
図５は、従来の電子撮像装置の液晶保護窓、ＬＣＤ及び液晶照明ユニットの分解斜視図である。液晶保護窓３１とＬＣＤ６を液晶照明ユニット３２に固定する金属フレーム３３の間に、ごみ等の異物の進入を防ぐため、ＬＣＤ６の表示部周囲にクッション材３４を設けている。ＬＣＤ６の直下には、液晶照明ユニット３２が配置される。液晶照明ユニット３２は、図中上からの光を集光・拡散してＬＣＤ６の範囲に広げる複数のシート３２ａを有する。また、液晶照明ユニット３２は、発光ダイオード（ＬＥＤ）等からなるバックライト光源を実装したフレキシブル基板３２ｄと略同列に、バックライト光源をＬＣＤ６の表示部に導光させる部材、例えば、アクリル系樹脂から成形された導光板３２ｂを有する。導光板３２ｂは、バックライト光源から光を入射する光入射面から他端側に暫時肉薄状に傾斜するような楔形状となっているものが多い。また、液晶照明ユニット３２は、導光板３２ｂの下に配置され、光をＬＣＤ６側に反射させるシート３２ｃを有する。シート３２ａ、３２ｃ及び導光板３２ｂ、ＬＣＤ６の周辺を囲い、これらを位置決めする樹脂フレーム３５が配置される。ＬＣＤ６、液晶照明ユニット３２及び樹脂フレーム３５を金属フレーム３３及び３６で挟み込み、電子撮像装置本体にビスで固定する。Ｐは不図示の電子撮像装置本体へのビスの締付方向である。
【００２０】
図６は、本実施例の電子撮像装置の液晶保護窓部材７、液晶表示パネル（ＬＣＤ）６及び液晶照明ユニット１６の分解斜視図である。液晶保護窓部材７は、外部に露出する表面７ａと、ＬＣＤ６の表示面６ａを覆う裏面７ｂと、裏面７ｂの周囲に設けられた裏面７ｂに対して垂直に（図６ではＺ方向に）延びる側壁部７ｃ１〜７ｃ３と、を有する。従来の液晶保護窓３１は平板部材であったのに対して、本実施例の液晶保護窓部材７は側壁部７ｃ１〜７ｃ３を有するケース形状（箱型）に形成され、液晶保護窓部材７の裏面７ｂと側壁部で形成された空間の内部にＬＣＤ６及び液晶照明ユニット１６を収納する。
【００２１】
液晶保護窓部材７は、一対の平行な側壁部（第１側壁部）７ｃ１と、一対の平行な側壁部（第２側壁部）７ｃ２及び７ｃ３を有する。側壁部７ｃ１は側壁部７ｃ２又は７ｃ３と直交する。各側壁部は、液晶保護窓部材７の各辺を折り曲げることによって形成してもよいし、成型、接着や溶接で形成してもよい。側壁部７ｃ１〜７ｃ３は不透明又は遮光部材であってもよい。一対の平行な側壁部７ｃ１はＸ方向に延び、液晶保護窓部材７の長手辺に沿って形成される。一対の平行な側壁部７ｃ２及び７ｃ３はＹ方向に延び、液晶保護窓部材７の短手辺に沿って形成される。なお、一対の側壁部７ｃ１の一方は図６において液晶保護窓部材７の下側に形成され、他方は上側に形成されている。側壁部７ｃ２は図６において液晶保護窓部材７の右側に形成される。側壁部７ｃ３は図６において液晶保護窓部材７の左側に形成されている。側壁部７ｃ２と側壁部７ｃ３は平行である。
【００２２】
一対の側壁部７ｃ１はそれぞれ複数の開口部（被係合部）７ｄと開口部７ｅを有する。開口部７ｄは液晶保護窓部材７の裏面７ｂと裏面７ｂに垂直な方向（Ｚ方向）において裏面７ｂと反対側の側壁部７ｃ１の端部７ｃ１ａとの間に形成される。後述するように、開口部７ｄには集光・拡散シート１６ａの凸部（液晶保護窓部材用係合部）１６ａａと反射シート１６ｃの凸部（液晶保護窓部材用係合部）１６ｃａが挿入されて係合可能である。図５に示す従来のＬＣＤ６の表示面６ａの周囲は金属フレーム３３に接触しているが、図６では、ＬＣＤ６の周辺を側壁部７ｃ１〜７ｃ３が囲うことで、液晶保護窓部材７がＬＣＤ６をＸ方向、Ｙ方向（面方向）に位置決めしている。なお、ＬＣＤ６の表示面６ａの周囲はどの部材にも接触していない。また、ＬＣＤ６の表示面６ａと液晶保護窓部材７の裏面７ｂとの間には間隙がある。開口部７ｅからはフレキシブル基板１６ｄの一部１６ｄａが導出される。開口部７ｄと７ｅは液晶保護窓部材７と液晶照明ユニット１６との位置合わせ（あるいはＸ方向の位置決め）の機能も有する。
【００２３】
側壁部７ｃ２は平板部材として形成される。側壁部７ｃ３は図６には図示しない一対のフック（突起）７ｆを有する。
【００２４】
液晶照明ユニット１６は、ＬＣＤ６の直下に配置され、ＬＣＤ６を照明する。液晶照明ユニット１６は、複数の集光・拡散シート１６ａ、導光板１６ｂ、バックライト光源を実装したフレキシブル基板１６ｄ、反射シート１６ｃを有する。
【００２５】
複数の集光・拡散シート１６ａは、図中上からの光を集光及び拡散する。各集光・拡散シート１６ａは、一対の凸部１６ａａを図６における下側の辺と上側の辺に有する。
【００２６】
導光板１６ｂは、発光ダイオード等からなるバックライト光源を実装したフレキシブル基板１６ｄと略同列に、バックライト光源をＬＣＤ６の表示部に導光させ、例えば、アクリル系樹脂から成形される。フレキシブル基板１６ｄは、外部に導出される一部１６ｄａを有する。一部１６ｄａは、図７に示すように、側壁部７ｃ２の開口部７ｅから外部に導出され、電子撮像装置本体１内に設けられた不図示の電源と画像情報生成部に接続される。一部１６ｄａには、電子撮像装置本体１内に固定されるビスが通過する穴１６ｄｂを有する。ここで、図７は、本実施例の電子撮像装置の液晶保護窓部材７、ＬＣＤ６、液晶照明ユニット１６からなるユニットの斜視図である。導光板１６ｂは、バックライト光源から光を入射する光入射面から他端側に暫時肉薄状に傾斜するような楔形状となっているものが多い。
【００２７】
反射シート１６ｃは、導光板１６ｂの下に配置され、光をＬＣＤ６側に反射させ、一対の凸部１６ｃａを図６における下側の辺と上側の辺に有する。上側の辺と下側の辺の各々に形成される一対の凸部１６ｃａは一対の凸部１６ａａと対応する位置に形成され、Ｚ方向に重なる。側壁部７ｃ２の開口部７ｄには、集光・拡散シート１６ａの凸部１６ａａと反射シート１６ｃの凸部１６ｃａが挿入されて抜け止めをし、図７に示すようなユニットを形成する。反射シート１６ｃの裏面と後述するメインフレーム１７の表面１７ｄとは微小距離だけ離れている。
【００２８】
電子撮像装置本体内部にはメインフレーム１７（フレーム部材）が設けられている。メインフレーム１７は、略矩形形状を有し、各辺が−Ｚ方向に折り曲げられた折り曲げ部と表面１７ｄを有する。一対の折り曲げ部１７ａは側壁部７ｃ１の上を部分的に覆う。折り曲げ部１７ａには凹部１７ａａが形成されて、開口部７ｄを露出する。折り曲げ部１７ｂは側壁部７ｃ２の上を部分的に覆う。折り曲げ部１７ｃは側壁部７ｃ３の上を部分的に覆い、一対の係合孔（液晶保護窓部材用係合部）１７ｃａを有する。係合孔１７ｃａには側壁部７ｃ３に形成されたフック（メインフレーム用係合部）７ｆが挿入されて係合可能である。図８は、図７をＢ方向から見た斜視図であり、電子撮像装置本体１の内部と共に示している。図８は、フック７ｆと係合孔１７ｃａの係合状態を示している。フック７ｆと係合孔１７ｃａは液晶保護窓部材７と液晶照明ユニット１６との位置合わせ（あるいはＹ方向の位置決め）の機能も有する。電子撮像装置本体１の内部部材であるメインフレーム１７と図７に示すユニットが直接係合するために位置精度が向上する。フック７ｆと係合孔１７ｃａが係合することによって液晶保護窓部材７は電子撮像装置本体内部に固定される。図７に示すユニットがメインフレーム１７に固定された後で外装カバー２が取り付けられる。表面１７ｄは、側壁部７ｃ１〜７ｃ３の端部（７ｃ１ａ、７ｃ２ａなど）と接触可能である。
【００２９】
ＬＣＤ６及び液晶照明ユニット１６が液晶保護窓部材７の側壁部７ｃ２に囲まれているため、ＬＣＤ６と液晶照明ユニット１６内にごみ等の異物が侵入することを防止することができると共に、従来のクッション材３４が不要となる。このため、部品点数の削減、コスト低減が可能となる。また、ＬＣＤ６と液晶保護窓部材７の裏面７ｂとの間の空間を最小限にし（もしくは密着）、薄型化を図ることができる。更に、液晶保護窓部材７にＬＣＤ６及び液晶照明ユニット１６を組み付けることにより、従来の金属フレーム３３及び樹脂フレーム３５を省略することができるため、部品点数の削減、コスト低減が可能となり、撮像装置の薄型化に寄与する。液晶保護窓部材７にＬＣＤ６及び液晶照明ユニット１６がユニット化されているため、外装カバー２を外すことによって一体的に着脱、交換、修理を行うことができる。更に、液晶保護窓部材７にレンズ機能を設けた場合、ＬＣＤ６及び液晶保護窓部材７のユニットとして調整が容易となる。また、液晶保護窓部材７の二対の側壁部７ｃ１及び７ｃ２が撮像装置内のメインフレーム１７と近接することによって、液晶保護窓部材７に外力が加わった際に、側壁部７ｃ１〜７ｃ３の端部（７ｃ１ａ、７ｃ２ａなど）がメインフレーム１７の表面１７ｄに接触する。この結果、ＬＣＤ６に外力が伝達せず、ＬＣＤ６を動作不良や破損から保護することができる。また、液晶保護窓部材７は、外力が加わった時に剛性のメインフレーム１７に接触することによって変形が防止される。更に、ＬＣＤ６の表示面６ａと液晶保護窓部材７の裏面７ｂが微小距離だけ離れている（表示面６ａはいずれの部材とも接触していない）ので、表示面６ａは外力から保護される。
【００３０】
図７に示すユニットは外装カバー２に固定されてもよい。この状態を図９に示す。このように、図７に示すユニットは、電子撮像装置本体側の固定に限定するものではなく、外装カバー２側に固定されてもよい。図７に示すユニットは、不図示の係合部を介して外装カバー２の不図示の係合部と係合する。
【００３１】
液晶保護窓部材７の側壁部７ｃ-１〜７ｃ３は、ごみ・異物等の進入経路が特定できた場合や液晶保護窓への外力の伝達箇所の特定ができた場合、又は、内部機構部品の制約やＬＣＤ６のアスペクト比等によって、側壁部を設ける場所、数、幅を変更することができる。また、図７に示すユニットは、ビデオカメラ、携帯電話、ポケットテレビ等様々な表示素子を用いる電子機器に適用可能である。
【図面の簡単な説明】
【００３２】
【図１】本実施例の電子撮像装置（電子機器）の正面側の斜視図である。
【図２】図１に示す電子撮像装置の背面側の斜視図である。
【図３】図２のＡＡ断面図である。
【図４】図３の部分拡大断面図である。
【図５】従来の電子撮像装置の液晶保護窓、ＬＣＤ及び液晶照明ユニットの分解斜視図である。
【図６】図１に示す電子撮像装置の液晶保護窓、ＬＣＤ及び液晶照明ユニットの分解斜視図である。
【図７】図６に示す電子撮像装置の液晶保護窓部材、ＬＣＤ及び液晶照明ユニットからなるユニットの斜視図である。
【図８】図７に示すユニットと電子撮像装置本体内部の分解斜視図である。
【図９】図７に示すユニットが図２に示す電子撮像装置の外装カバーに固定された状態を示す斜視図である。
【符号の説明】
【００３３】
１                          電子撮像装置本体
２                          外装カバー
６                          液晶表示パネル（ＬＣＤ）
７                          液晶保護窓部材
７ｃ１、７ｃ２、７ｃ３        側壁部
７ｄ、７ｅ                  開口部
７ｆ                        フック
１６                        液晶照明ユニット
１７                        メインフレーム
１７ｃａ                    係合孔
【図１】
2009294272.tif 000003
【図２】
2009294272.tif 000004
【図３】
2009294272.tif 000005
【図４】
2009294272.tif 000006
【図５】
2009294272.tif 000007
【図６】
2009294272.tif 000008
【図７】
2009294272.tif 000009
【図８】
2009294272.tif 000010
【図９】
2009294272.tif 000011